(57)【要約】【課題】長時間の使用に適し、且つ、子供の転落や指挟みの虞が抑制された乳幼児用仮設ベッドまたはコットを提供する。【解決手段】乳幼児用仮設ベッドまたはコット１は、底壁１１と側壁１２，１３とを有する本体部１０と、底壁１１上に配置された土台２０と、土台２０に支持された床板３０と、を備えている。床板３０は、側壁１２，１３の上部まで延びる側板部３２，３３を有している。【選択図】図２
0003235394.tif 000002
【実用新案登録請求の範囲】
【請求項１】
底壁と側壁とを有する本体部と、
前記底壁上に配置された土台と、
前記土台に支持された床板と、を備え、
前記床板は、前記側壁の上部まで延びる側板部を有する、乳幼児用仮設ベッドまたはコット。
【請求項２】
前記本体部は折り畳み可能であり、前記側壁に折畳用折れ線が形成されている、請求項１に記載の乳幼児用仮設ベッドまたはコット。
【請求項３】
前記側壁は、前記本体部の長手方向に沿って延びている、請求項１又は２に記載の乳幼児用仮設ベッドまたはコット。
【請求項４】
前記側板部は、前記側壁の上端縁を跨いで前記側壁の外側に延び出し、前記側壁の外面上に固定される、請求項１〜３のいずれか一項に記載の乳幼児用仮設ベッドまたはコット。
【請求項５】
前記本体部に通気穴が設けられている、請求項１〜４のいずれか一項に記載の乳幼児用仮設ベッドまたはコット。
【請求項６】
前記本体部を上方から覆う幌を更に備えた、請求項１〜５のいずれか一項に記載の乳幼児用仮設ベッドまたはコット。
【考案の詳細な説明】
【技術分野】
【０００１】
本考案は、乳幼児用仮設ベッドまたはコットに関する。
【背景技術】
【０００２】
乳幼児用の仮設ベッドとして、例えば特許文献１に記載の携帯型ベビーベッドが知られている。このような携帯型ベビーベッドは、コンパクトに折り畳むことができ、外出の際に持ち運びが容易である。そして、訪問先の床の上に広げるだけで使用することができる。
【先行技術文献】
【特許文献】
【０００３】
【特許文献１】特開２０１９−２１３６２６号公報
【考案の概要】
【考案が解決しようとする課題】
【０００４】
特許文献１に記載の携帯型ベビーベッドは、訪問先での短時間の使用には適しているが、災害時に避難所等で長時間（例えば朝から晩まで）使用することには適していない。なぜなら、乳幼児が横臥する部分が直接床上に配置されるため、地震や床上を歩く者によって引き起こされる床の振動が乳幼児に伝わり易い。また、冬は床の冷気が身体に伝わり易く、夏は携帯型ベビーベッドに吸収された湿気（例えば乳幼児の汗等）が、発散されず、身体が蒸れる虞がある。
【０００５】
災害時に避難所等で使用される仮設ベッドとして、いわゆる段ボールベッドが知られているが、このようなベッドは主に大人向けであり、乳幼児を寝かせるには適していない。例えば、仮設ベッドからの転落を防止する手段が設けられていない。あるいは、仮設ベッドを構成する要素の隙間に乳幼児の指が挟まれることを防止する手段が設けられていない。
【０００６】
本件考案は、以上の点を考慮してなされたものであって、長時間の使用に適し、且つ、子供の転落や指挟みの虞が抑制された乳幼児用仮設ベッドまたはコットの提供を目的とする。
【課題を解決するための手段】
【０００７】
本考案による乳幼児用仮設ベッドまたはコットは、
底壁と側壁とを有する本体部と、
前記底壁上に配置された土台と、
前記土台に支持された床板と、を備え、
前記床板は、前記側壁の上部まで延びる側板部を有する。
【０００８】
本考案による乳幼児用仮設ベッドまたはコットにおいて、
前記本体部は折り畳み可能であってよく、前記側壁に折畳用折れ線が形成されていてもよい。
【０００９】
本考案による乳幼児用仮設ベッドまたはコットにおいて、
前記側壁は、前記本体部の長手方向に沿って延びていてもよい。
【００１０】
本考案による乳幼児用仮設ベッドまたはコットにおいて、
前記側部板は、前記側壁の上端縁を跨いで前記側壁の外側に延び出し、前記側壁の外面上に固定されていてもよい。
【００１１】
本考案による乳幼児用仮設ベッドまたはコットにおいて、
前記本体部に通気穴が設けられていてもよい。
【００１２】
本考案による乳幼児用仮設ベッドまたはコットは、
前記本体部を上方から覆う幌を更に備えていてもよい。
【考案の効果】
【００１３】
本考案によれば、長時間の使用に適し、且つ、子供の転落や指挟みの虞が抑制された乳幼児用仮設ベッドまたはコットを提供することができる。
【図面の簡単な説明】
【００１４】
【図１】本考案の一実施の形態を説明するための図であって、使用状態にある乳幼児用仮設ベッドまたはコットを示す斜視図。
【図２】図１に示す乳幼児用仮設ベッドまたはコットの幅方向に沿った断面を模式的に示す図。
【図３】図１に示す乳幼児用仮設ベッドまたはコットの分解斜視図。
【図４】梱包状態にある乳幼児用仮設ベッドまたはコットを示す斜視図。
【図５】図４に示す乳幼児用仮設ベッドまたはコットの分解斜視図。
【図６】本体部の展開図。
【図７】本体部の底壁の形成方法を説明するための図。
【図８】本体部の底壁の形成方法を説明するための図。
【図９】土台を示す斜視図。
【図１０】図９に示す土台の分解斜視図。
【図１１】床板を示す平面図。
【図１２】パッドを下方から見た平面図。
【図１３】幌を示す斜視図。
【考案を実施するための形態】
【００１５】
図１〜図１３は、本考案による乳幼児用仮設ベッドまたはコット１の一実施の形態を説明するための図である。このうち図１には、使用状態にある乳幼児用仮設ベッドまたはコット１の外観が示されている。また、図２には、図１に示す乳幼児用仮設ベッドまたはコット１の幅方向に沿った断面が模式的に示されている。また、図３には、図１に示す乳幼児用仮設ベッド１の分解斜視図が示されている。以下では、乳幼児用仮設ベッドまたはコット１を単に「仮設ベッド１」とも呼ぶ。
【００１６】
なお、本明細書中において、仮設ベッド１に対する「上」、「下」および「上下方向」の用語は、特に指示がない場合、組み立てられて使用状態にある仮設ベッド１を基準とした「上」、「下」および「上下方向」を意味する。したがって、「上下方向」とは、仮設ベッド１の接地面に直行する方向であり、図１における紙面の上下方向に一致する。また、「前後方向」とは、上下方向に直交する方向であって、図１における紙面の左上と右下を結ぶ方向に相当する。そして、特に指示がない限り、「前」とは、図１における紙面の右下側となる。また、「後」とは、図１における紙面の左上側となる。また、「幅方向」とは、横方向であって、「前後方向」および「上下方向」のいずれにも直交する方向である。さらに、仮設ベッド１に対する「内側」および「外側」の用語は、特に指示がない場合、使用状態にある仮設ベッド１内に横臥する乳幼児を基準とした「内側」および「外側」を意味する。
【００１７】
以下、図面を参照して本考案の一実施の形態について説明する。
【００１８】
図２〜３に示すように、仮設ベッド１は、本体部１０と、土台２０と、床板３０と、パッド４０と、幌５０と、を含む。このうち、本体部１０と土台２０と床板３０と後述するパッド４０の中板４５は、段ボール製である。また、本体部１０、土台２０、床板３０および幌５０は、収納時および保管時には図４〜５に示す折畳状態にされて、パッド４０と共に、袋６０に入れられている。そして、仮設ベッド１の組立時には、図１〜３に示す使用状態に変形される。なお、以下では、図４に示すように仮設ベッド１を構成する各要素が折畳状態にされて重ね合わされた状態を、仮設ベッド１の「梱包状態」とも呼ぶ。
【００１９】
まず、本体部１０について説明する。図１及び図３から理解されるように、本体部１０は、仮設ベッド１の使用状態において直方体の箱状であり、長方形の底壁１１と４つの側壁１２〜１５とを有する。４つの側壁１２〜１５は、底壁１１の長辺に接続する第１及び第２長手方向側壁１２，１３と、底壁１１の短辺に接続する第１及び第２短手方向側壁１４，１５と、を含む。隣り合う側壁１２〜１５は互いに接続され、角筒状をなす。
【００２０】
図６は、本体部１０の展開図である。本体部１０の接合部１０ａが第２短手方向側壁１５に接合されていることにより、本体部１０は周状を成している。本体部１０は、使用状態に変形される際、図６において二点鎖線で示される組立用折れ線Ｓに沿って折り曲げられる。
【００２１】
図６に示すように、各側壁１２〜１５の下端縁から、底壁フラップ１１ａ〜１１ｄが延び出している。４つの底壁フラップ１１ａ〜１１ｄを側壁１２〜１５の下端縁に沿って延びる組立用折れ線Ｓに沿って折り曲げて組み合わせることで、底壁１１が形成される。図示された例では、次のようにして底壁１１が形成される。すなわち、図７に示すように、第１長手方向側壁１２から延び出す第１底壁フラップ１１ａに、第１及び第２短手方向側壁１４，１５から延び出す第２及び第３底壁フラップ１１ｂ，１１ｃを重ねる。その後、図８に示すように、第２長手方向側壁１３から延び出す第４底壁フラップ１１ｄを、第２及び第３底壁フラップ１１ｂ，１１ｃに重ね、第４底壁フラップ１１ｄの先端を、第１底壁フラップ１１ａの上に差し込む。これにより、底壁１１が完成する。
【００２２】
図６に示すように、各短手方向側壁１４，１５の上端縁から、側壁フラップ１４ａ，１５ａが延び出している。側壁フラップ１４ａ，１５ａは、短手方向側壁１４，１５の上端縁に沿って延びる組立用折れ線Ｓに沿って内側に折り返されて、対応する短手方向側壁１４，１５の内側に配置されている。これにより、短手方向側壁１４，１５が撓む虞が低減される。
【００２３】
各長手方向側壁１２，１３の長手方向の中央には、上下方向に延びる折畳用折れ線Ｔが設けられている。折畳用折れ線Ｔは、図６において一点鎖線で示されている。周状に形成された本体部１０を折畳用折れ線Ｔと組立用折れ線Ｓのうち上下方向に延びる折れ線とに沿って折ることにより、図５に示すように本体部１０をコンパクトに折り畳むことができる。
【００２４】
図１に示すように、各長手方向側壁１２，１３の下端縁の近傍には、通気穴１６が形成されている。通気穴１６を通じて本体部１０内の湿気が本体部１０外に排出されることにより、乳幼児に快適な寝心地を提供することができる。また、本体部１０内に湿気が籠もって仮設ベッド１を構成する要素（とりわけ段ボール製の要素）が変形する、という虞が抑制される。なお、図示された例では、長手方向側壁１２，１３に上方に向けて凸状の爪片１７が形成されるように切込みが設けられており（図６参照）、爪片１７を折り曲げることにより通気穴１６が形成（開放）される。通気穴１６が開放された後も、爪片１７は側壁１２，１３に接続したままである（図２参照）。このため、乳幼児が誤って爪片１７を飲み込む虞が抑制される。
【００２５】
土台２０は、図９〜１０に示すように、複数の土台要素２１〜２６を組み合わせることにより構成されている。複数の土台要素２１〜２６の間には空間が形成されている。これにより、底壁１１と床板３０との間に空間が形成される。この結果、仮設ベッド１が配置された床面の振動が床板３０上の乳幼児に伝わる虞が低減される。また、冬は、仮設ベッド１が設置された床面からの冷気が床板３０上に横臥する乳幼児に伝わる、という虞が抑制される。また、夏は、乳幼児と床板３０との間の湿気を、上記空間に逃がすことができる。なお、土台２０によって床板３０は上記床面よりも高い位置に配置されるが、側壁１２〜１４によって、乳幼児が床板３０上から転落する虞が抑制される。
【００２６】
図示された例では、土台２０は、前後方向に沿って延びる第１〜第２土台要素２１，２２と、幅方向に沿って延びる第３〜第６土台要素２３〜２６と、を噛み合わせた井桁構造体である。各土台要素２１〜２６は、板状の部材をコの字型に折り曲げてなる。また、各土台要素２１〜２６には、土台要素２１〜２６を噛み合わせるためのスリット２７が形成されている。
【００２７】
各土台要素２１〜２６には、通気穴２８が設けられている。これにより、土台２０と土台２０の上に配置される床板３０との間に湿気が溜まって土台２０および床板３０が変形する、という虞が抑制される。また、床板３０と本体部１０との間の湿気が通気穴１６を通じて排出されることを、促進することができる。
【００２８】
床板３０は、図３に示すように、仮設ベッド１の使用状態において、床面を形成する長方形状の床板主部３１と、床板主部３１の長辺から上方に延び出す第１及び第２側板部３２，３３と、床板主部３１の短辺から下方に延び出す第１及び第２床板フラップ３４，３５と、を有する。このような床板３０は、図１１に示す平板な板状部材を、二点鎖線で示す組立用折れ線Ｓに沿って折り曲げることにより形成される。
【００２９】
図１１に示すように、床板主部３１には、通気穴３６が設けられている。これにより、床板３０と床板３０上に配置されるパッド４０との間に湿気が溜まって床板３０が変形する、という虞が抑制される。図２に示す例では、通気穴３６は、土台要素２１，２２の通気穴２８と上下方向に整列している。
【００３０】
図２に示すように、第１及び第２側板部３２，３３は、それぞれ、長手方向側壁１２，１３に対面して配置される。ここで、長手方向側壁１２，１３は、短手方向側壁１４，１５に比べて長い分、撓みやすい。しかしながら、長手方向側壁１２，１３に対面して側板部３２，３３が配置されていることにより、長手方向側壁１２，１３が撓む虞が抑制される。とりわけ、図示された例では、長手方向側壁１２，１３には上下方向に延びる折畳用折れ線Ｔが形成されている。仮設ベッド１の使用状態において側板部３２，３３が長手方向側壁１２，１３に対面して配置されていることにより、長手方向側壁１２，１３が折畳用折れ線Ｔで折れ曲がる虞が抑制される。
【００３１】
また、側板部３２，３３が床板主部３１から長手方向側壁１２，１３に沿って上方に延び出していることにより、床板３０上の乳幼児の指が床板３０と長手方向側壁１２，１３との間に挟まれる虞が、抑制される。
【００３２】
さらに、床板主部３１と側板部３２，３３とが一体として形成されていることにより、次のような効果も得られる。すなわち、床板主部３１と側板部３２，３３とが別体として形成されている場合、乳幼児が仮設ベッド１内に配置されたまま側壁１２〜１５を把持して仮設ベッド１を持ち上げると、乳幼児の荷重が床板主部３１及び土台２０を介して本体部１０の底壁１１に加わる。この結果、本体部１０の底壁１１を形成する底壁フラップ１１ａ〜１１ｄが互いから分離して、いわゆる本体部１０の底抜けが生じ、乳幼児が仮設ベッド１から落下する虞がある。一方、床板主部３１と側板部３２，３３とが一体として形成されている場合、側壁１２〜１５を把持して仮設ベッド１を持ち上げると、仮設ベッド１内の乳幼児は側壁１２〜１５に対して固定された床板３０によって支持される。この結果、仮設ベッド１の底抜けが生じる虞が低減され、乳幼児が仮設ベッド１から落下する虞が低減される。
【００３３】
各側板部３２，３３は、側板主部３７と、側板主部３７の上端縁から延び出す延出部３８と、を有する。側板主部３７は、対応する長手方向側壁１２，１３の内面に対面して配置される。側板主部３７は、対応する長手方向側壁１２，１３の上部まで延びている。これにより、長手方向側壁１２，１３が撓む虞が効果的に抑制される。また、床板３０上の子供の指が床板３０と長手方向側壁１２，１３との間に挟まれる虞も、効果的に抑制される。
【００３４】
延出部３８は、図１１に示す組立用折れ線Ｓに沿って折り曲げられて、長手方向側壁１２，１３の上部を上方及び外方から覆う。延出部３８は、側板部用固定具７０によって長手方向側壁１２，１３の外面上に固定される。延出部３８が長手方向側壁１２，１３の上端縁を跨いで長手方向側壁１２，１３の外側に延び出し、長手方向側壁１２，１３の外面上に固定されることにより、長手方向側壁１２，１３が撓む虞が更に効果的に抑制される。また、床板３０上の子供の指が床板３０と長手方向側壁１２，１３との間に挟まれる虞も、更に効果的に抑制される。側板部用固定具７０としては、リベットピンや面ファスナー、スナップボタン、両面テープ等、種々の固定具を採用可能である。
【００３５】
図示された例では、側板部用固定具７０はリベットピンであり、延出部３８を長手方向側壁１２，１３の外面上に固定するとともに、側板主部３７を長手方向側壁１２，１３の内面上に固定する。長手方向側壁１２，１３並びに側板部３２，３３の延出部３８及び側板主部３７には、側板部用固定具７０を挿通するための固定具用開口７１が形成されている（図６及び図１１参照）。
【００３６】
なお、側板主部３７は、長手方向側壁１２，１３の内面上に固定されなくてもよい。この場合であっても、長手方向側壁１２，１３が撓む虞を効果的に抑制することができる。また、この場合であって、側板部用固定具７０としてリベットピンを用いる場合、側板部用固定具７０は、延出部３８と長手方向側壁１２，１３のみを貫通し、側板主部３７を貫通しない。側板部用固定具７０としてのリベットピンが側板主部３７を貫通しない場合、側板部用固定具７０が仮設ベッド１の内側に露出しない。このことは、仮設ベッド１内の乳幼児が側板部用固定具７０に接触することが望ましくない場合に、好ましい。
【００３７】
第１及び第２床板フラップ３４，３５は、それぞれ、短手方向側壁１４，１５と土台２０との間に配置される。
【００３８】
なお、図１１に示す平板状にされた床板３０を、組立用折れ線Ｓのうち床板主部３１を区画する組立用折れ線Ｓに沿って折ることにより、床板３０を図５に示す折り畳み状態にすることができる。
【００３９】
パッド４０は、床板３０の上に配置される。図２に示された例では、パッド４０は、シート４１と中板４５とを含む。シート４１は、クッション性を有するだけでなく、通気性に優れている。したがって、乳幼児とシート４１との間に湿気が溜まって蒸れることを抑制することができ、乳幼児に快適な寝心地を提供することができる。具体的には、シート４１は、仮設ベッド１内に横臥する乳幼児に対面することとなる表側部４２と、床板主部３１に対面することとなる裏側部４３と、を含む。表側部４２と裏側部４３は、その周縁部において互いに縫着されている。表側部４２は、メッシュ材で形成された第１布地及び第２布地と、第１布地と第２布地との間に配置されたクッション材とを含む。裏側部４３は、メッシュ材で形成されている。
【００４０】
中板４５は、シート４１の表側部４２と裏側部４３との間に配置されている。これにより、仮設ベッド１の使用中にシート４１がよれたり、適切な位置からずれたりする虞が防止される。図示された例では、中板４５には通気穴４６が設けられている。これにより、シート４１の表側部４２と中板４５との間に湿気が溜まって中板４５が変形する、という虞が抑制される。図２に示す例では、通気穴４６は、床板３０の通気穴３６および土台要素２１，２２の通気穴２８と上下方向に整列している。
【００４１】
また、図示された例では、中板４５は、シート４１に設けられた開口４４を通じて、シート４１内から取り出し可能である。これにより、シート４１を洗濯することができる。図１２に示す例では、開口４４は、裏側部４３の前後方向の中央に、幅方向に沿って形成されている。この場合、中板４５を前後方向の中央で幅方向に沿って折り曲げることにより、開口４４を通じて中板４５をシート４１内から出し入れ可能である。
【００４２】
幌５０は、図１に示すように、本体部１０の後部領域を上方から覆う。これにより、仮設ベッド１内に横臥する乳幼児の頭部を、例えば余震で天井から落ちてくる粉塵等から守ることができる。また、仮設ベッド１の上方からの光を遮ることができる。
【００４３】
図１および図１３に示すように、幌５０は、幌材５１と、幌材５１の前端縁に取り付けられた幌骨５２と、を有する。幌材５１は、仮設ベッド１の幅方向の一側及び他側にそれぞれ配置される第１および第２幌布材５３，５４と、幌材５１を補強する補強紐５５と、を有する。
【００４４】
各幌布材５３，５４は、第１〜第３端縁５６ａ〜５６ｃを有する。第１および第２幌布材５３，５４の第１端縁５６ａは、幌５０の前端縁を成す。第１および第２幌布材５３，５４の第１端縁５６ａには、幌骨５２をなすワイヤが取り付けられている。幌骨５２は、幌５０の前端縁の一端から他端に亘って延びている。
【００４５】
第２端縁５６ｂは、一端が第１端縁５６ａの下端に接続している。図２に示すように、第２端縁５６ｂは、本体部１０の外側に配置される。第１幌布材５３の第２端縁５６ｂは、第１長手方向側壁１２の後部領域の上端部および第２短手方向側壁１５の幅方向の一側半部の上端部を外側から覆う。第２幌布材５４の第２端縁５６ｂは、第２長手方向側壁１３の後部領域の上端部および第２短手方向側壁１５の幅方向の他側半部の上端部を外側から覆う。
【００４６】
第３端縁５６ｃは、第２端縁５６ｂの他端と第１端縁５６ａの上端とを接続する。２枚の幌布材５３，５４は、第３端縁５６ｃで接続されている。図示された例では、第３端縁５６ｃは、第１端縁５６ａの上端から後方に延びた後、第２端縁５６ｂの他端に向けて下方に延びる折れ線状または曲線状をなしている。このような幌５０は、図５に示すように、全体として幌５０の幅方向に沿って延びる折畳用折れ線Ｔ（図１３参照）に沿って、三つ折りに折り畳むことができる。
【００４７】
図示された例では、各幌布材５３，５４は不織布で形成されている。各幌布材５３，５４の各端縁５６ａ〜５６ｃには、補強紐５５が縫い付けられている。これにより、幌材５１が補強される。幌布材５３，５４または補強紐５５の一部または全ては、蛍光色であることが好ましい。これにより、光が乏しい環境においても、周囲に仮設ベッド１の存在を示すことができる。この結果、仮設ベッド１の周囲を移動する者が仮設ベッド１に意図せずぶつかる、という虞が抑制される。
【００４８】
図１１および図１３に示すように、第１および第２幌布材５３，５４の第２端縁５６ｂの近傍及び床板３０の延出部３８には、幌５０を延出部３８に固定するための幌用固定具７５が取り付けられている。幌布材５３，５４が床板３０の延出部３８に固定されていること及び幌材５１に幌骨５２が取り付けられていることにより、幌材５１を張った状態に維持することができる。なお、図示された例では、幌用固定具７５は面ファスナーであるが、これに限られない。幌用固定具７５は、例えばスナップボタンやリベットピンであってもよい。
【００４９】
次に、仮設ベッド１の組立方法について説明する。まず、図５に示す折り畳み状態の本体部１０を広げる。そして、図７〜８に示すように底壁フラップ１１ａ〜１１ｄを組み合わせて、底壁１１を形成する。
次に、土台２０を図９に示す状態に組み立てて、土台２０を本体部１０の中に配置する。このとき、短手方向側壁１４，１５から延び出す側壁フラップ１４ａ，１５ａを、折り返して短手方向側壁１４，１５と土台２０との間に配置する。
次に、図５に示す折り畳み状態にある床板３０を広げて図１１に示す状態にする。次に、床板３０を、その組立用折れ線Ｓに沿って折り曲げて、第１及び第２側板部３２，３３が床板主部３１から上方に延び出し、第１及び第２床板フラップ３４，３５が床板主部３１から下方に延び出すようにする。そして、床板主部３１を土台２０の上に配置し、第１及び第２床板フラップ３４，３５を、短手方向側壁１４，１５と土台２０との間に差し込む。また、図２に示すように、第１及び第２側板部３２，３３の側板主部３７を、それぞれ、長手方向側壁１２，１３の内面に対面させる。また、第１及び第２側板部３２，３３の延出部３８を、対応する長手方向側壁１２，１３の外側に折り返す。
次に、側板部用固定具７０を用いて、各側板部３２，３３の側板主部３７及び延出部３８を、それぞれ、対応する長手方向側壁１２，１３の内面及び外面に固定する。
次に、床板３０の床板主部３１上にパッド４０を敷く。
次に、幌５０を、幌用固定具７５を用いて側板部３２，３３の延出部３８に固定する。
最後に、本体部１０の長手方向側壁１２，１３に形成された通気穴１６を開放する。
【００５０】
このように、仮設ベッド１は、工具を用いることなく簡単に組み立てることができる。
【００５１】
以上のように、本実施の形態によれば、乳幼児用仮設ベッドまたはコット１は、底壁１１と側壁１２，１３とを有する本体部１０と、底壁１１上に配置された土台２０と、土台２０に支持された床板３０と、を備えている。床板３０は側壁１２，１３の上部まで延びる側板部３２，３３を有する。床板３０は、側壁１２，１３の上部まで延びる側板部３２，３３を有している。このような乳幼児用仮設ベッドまたはコット１によれば、底壁１１と床板３０との間に空間が形成される。この結果、乳幼児用仮設ベッドまたはコット１が配置された床面の振動が床板３０上の乳幼児に伝わる虞が低減される。また、冬は、乳幼児用仮設ベッドまたはコット１が配置された床面からの冷気が床板３０上の乳幼児に伝わる虞が低減される。また、夏は、乳幼児と床板３０との間の湿気を、上記空間に逃がすことができる。また、側壁１２，１３および側板部３２，３３によって、乳幼児が床板３０から転落する虞が低減される。さらに、床板３０は側壁１２，１３の上部まで延びる側板部３２，３３を有していることにより、床板３０上の乳幼児の指が床板３０と側壁１２，１３との間に挟まれる虞が、低減される。
【００５２】
また、本実施の形態によれば、本体部１０は折り畳み可能であり、側壁１２，１３に折畳用折れ線Ｔが形成されている。乳幼児用仮設ベッドまたはコット１の使用状態において、折畳用折れ線Ｔが形成された側壁１２，１３に沿って側板部３２，３３が延びていることにより、側壁１２，１３が意図せず折畳用折れ線Ｔに沿って折れ曲がる虞が低減される。この結果、側壁１２，１３に折畳用折れ線Ｔが形成されていても、側壁１２，１３及び側板部３２，３３によって、乳幼児が床板３０から転落する虞を効果的に低減することができる。
【００５３】
また、本実施の形態によれば、側壁１２，１３は、本体部１０の長手方向に沿って延びている。本体部１０の長手方向に沿って延びる側壁１２，１３は、本体部１０の短手方向に沿って延びる側壁１４，１５と比較して撓みやすい。乳幼児用仮設ベッドまたはコット１の使用状態において、側壁１２，１３に沿って側板部３２，３３が延びていることにより、側壁１２，１３が意図せず撓む虞が低減される。この結果、側壁１２，１３及び側板部３２，３３によって、乳幼児が床板３０から転落する虞を効果的に低減することができる。
【００５４】
また、本実施の形態によれば、側板部３２，３３は、側壁１２，１３の上端縁を跨いで側壁１２，１３の外側に延び出し、側壁１２，１３の外面上に固定される。これにより、側壁１２，１３が撓む虞が、より効果的に低減される。また、床板３０上の乳幼児の指が床板３０と側壁１２，１３との間に挟まれる虞が、より効果的に低減される。
【００５５】
また、本実施の形態によれば、本体部１０に通気穴１６が設けられている。これにより、本体部１０内の湿気を、通気穴１６を通じて本体部１０外に逃がすことができる。これにより、乳幼児に快適な寝心地を提供することができると共に、乳幼児用仮設ベッドまたはコット１を構成する要素が湿気によって変形する虞を低減することができる。
【００５６】
また、本実施の形態によれば、乳幼児用仮設ベッドまたはコット１は、本体部１０を上方から覆う幌５０を更に備えている。これにより、乳幼児用仮設ベッドまたはコット１内に横臥する乳幼児の頭部を、例えば余震で天井から落ちてくる粉塵等から守ることができる。また、乳幼児用仮設ベッドまたはコット１の上方からの光を遮ることができる。
【００５７】
なお、以上において上述した実施の形態に対するいくつかの変形例を説明してきたが、当然に、複数の変形例を適宜組み合わせて適用することも可能である。
【符号の説明】
【００５８】
１     乳幼児用仮設ベッドまたはコット
１０   本体部
１１   底壁
１２   第１長手方向側壁
１３   第２長手方向側壁
１４   第１短手方向側壁
１５   第２短手方向側壁
１６   通気穴
２０   土台
３０   床板
３２   第１側板部
３３   第２側板部
４０   パッド
５０   幌
６０   袋
Ｔ     折畳用折れ線
【図１】
0003235394.tif 000003
【図２】
0003235394.tif 000004
【図３】
0003235394.tif 000005
【図４】
0003235394.tif 000006
【図５】
0003235394.tif 000007
【図６】
0003235394.tif 000008
【図７】
0003235394.tif 000009
【図８】
0003235394.tif 000010
【図９】
0003235394.tif 000011
【図１０】
0003235394.tif 000012
【図１１】
0003235394.tif 000013
【図１２】
0003235394.tif 000014
【図１３】
0003235394.tif 000015